(57)【要約】【課題】従来と同様の机上用照明装置を利用して、机の天板の後部上方に設けられている上棚を照射したり、投光光線の一部を、机の上方もしくは後方へ投射させることにより、所望のアンビエント効果を発揮させることを目的とする。【解決手段】机２の天板３の上方に設けた左右方向に長い下向きの反射板９の下側に光源を設けてなる机上用照明装置において、反射板９の一部に、上方を向く透光部を設ける。【選択図】　　　　図２
2004095344.tif 000002
【特許請求の範囲】
【請求項１】
机の天板の上方に設けた左右方向に長い下向きの反射板の下側に光源を設けてなる机上用照明装置において、反射板の一部に、上方を向く透光部を設けたことを特徴とする机上用照明装置。
【請求項２】
反射板の一部に、後方を向く透光部をも設けたことを特徴とする請求項１記載の机上用照明装置。
【請求項３】
透光部を、光線が通過しうる透過孔としたことを特徴とする請求項１または２記載の机上用照明装置。
【請求項４】
反射板に、透光部の一部または全部を遮蔽しうるシャッターを設けたことを特徴とする請求項１〜３のいずれかに記載の机上用照明装置。
【請求項５】
透光部の外側に、光拡散用カバーを取付けたことを特徴とする請求項１〜４のいずれかに記載の机上用照明装置。
【発明の詳細な説明】
【０００１】
【発明の属する技術分野】
本発明は、机の天板上に設けられる照明装置、特に、天板の後部上方に上棚が設けられている学習机において、効果的かつ便利に使用することができる机上用照明装置に関する。
【０００２】
【従来の技術】
従来の机上用照明装置の一般的形態は、机の天板の後部に立設した支柱の上端、もしくは天板の後部に設けられている上棚の下面に、左右方向を向く細長い支持体を、左右軸まわりに回動しうるようにして設け、この支持体をもって、蛍光灯その他の左右に長い照明体と、その上面を覆う横長の反射板を支持させたものである。
【０００３】
このような従来の机上用照明装置においては、照明体および反射板を、一体として左右軸まわりに回動させることができるため、投光方向を、机上の前後へ変更させることができる。
【０００４】
【発明が解決しようとする課題】
しかし、従来の机上用照明装置においては、照明体が発する光を、上方もしくは後方へ向かって投光させることについては、一般に配慮されていない。
【０００５】
そのため、従来の机上用照明装置を利用して、天板の後部上方に設けられている上棚上の物品に光を当てたり、光を机の上方空間へ投射させて、アンビエント効果を発揮させたりすることはできない
【０００６】
【課題を解決するための手段】
本発明は、従来と同様の机上用照明装置を利用して、机の天板の後部上方に設けられている上棚を照射したり、投光光線の一部を、机の上方もしくは後方へ投射させることにより、所望のアンビエント効果を発揮させるようにすることを目的とするもので、その具体的手段は、次の如くである。
【０００７】
（１）机の天板の上方に設けた左右方向に長い下向きの反射板の下側に光源を設けてなる机上用照明装置において、反射板の一部に、上方を向く透光部を設ける。
【０００８】
（２）上記（１）項において、反射板の一部に、後方を向く透光部をも設ける。
【０００９】
（３）上記（１）項または（２）項において、透光部を、光線が通過しうる透過孔とする。
【００１０】
（４）上記（１）〜（３）項のいずれかにおいて、反射板に、透光部の一部または全部を遮蔽しうるシャッターを設ける。
【００１１】
（５）上記（１）〜（４）項のいずれかにおいて、透光部の外側に、光拡散用カバーを取付ける。
【００１２】
【発明の実施の形態】
図１、図２に示すように、後部に上棚（１）を備える机（２）の天板（３）の後部適所には、適宜左右に回動させうる支柱（４）が立設されている。
【００１３】
支柱（４）の上端には、左右に長い照明器具（５）の支持部（６）の中央後部が、左右軸（７）まわりに回動しうるようにして取付けられている。
【００１４】
照明器具（５）は、図３に示すように、シールド（８）の内側に前下方を向く左右に長い半円弧状断面の反射板（９）を取付け、反射板（９）の内側に、その焦点付近に光源を有する直管型蛍光灯（１０）の両端を、公知の要領で適宜支持して形成されている。
【００１５】
照明器具（５）の両側部において、シールド（８）には、左右方向を向く切欠孔（１１）が設けられ、この切欠孔（１１）内に露出する反射板（９）の部分の上面および後面には、左右方向に並ぶ多数の透過孔（１２）（１３）が設けられている。
透過孔（１２）（１３）に代わり、反射板（９）の要部を透明として実施することもできる。
【００１６】
上記切欠孔（１１）は、シールド（８）と良好な連続性を保持しうるようにした、半透明もしくは波状面を有する光拡散用カバー（１４）、もしくは図示しない遮光性カバーで閉塞されるようになっている。この際、反射板（９）と光拡散用カバー（１４）との間には、若干の間隙が形成される。
【００１７】
シールド（８）の切欠孔（１１）を光拡散用カバー（１４）で閉塞して、照明器具（５）を点灯させると、発生した光線は、反射板（９）により反射されて、前方および下方へ投射されるとともに、透過孔（１２）（１３）を経て、上方および後方へも投射される。
【００１８】
従って、机（２）の天板（３）上および上棚（１）の部分も照明されるので、作業に便利であり、かつ光拡散カバー（１４）を透過して机（２）の上方へ投射される光により、好ましいアンビエント効果を得ることができる。
【００１９】
図４は、切欠孔（１１）内における反射板（９）の上部もしくは後部の透過孔（１２）（１３）のいずれかを、必要に応じて、開口もしくは閉鎖しうるようにした例を示す図３と同様の縦断面図である。
【００２０】
図４においては、切欠孔（１１）内において、反射板（９）の外面に、可撓性のあるシャッター（１５）を、蛍光灯（１０）のまわりに摺動させうるようにして、適宜装着してある。
シャッター（１５）を前方もしくは下方へ移動させることにより、上方または後方の透過孔（１２）（１３）の中の必要なもののみを開口させることができる。
【００２１】
【発明の効果】
各請求項に記載の発明の効果は、次の通りである。
請求項１：机上用照明器具による光線の一部を、机の上方へ送ることができる。
【００２２】
請求項２：机上用照明器具による光線の一部を、机の後方へも送ることができる。
【００２３】
請求項３：透過孔より、照明器具による発生熱の一部を逃がすことができる。
【００２４】
請求項４：必要に応じ、所望の方向へのみ、光を送ることができる。
【００２５】
請求項５：机の上方または後方へ送られる光線は拡散されて、良好なアンビエント効果を得ることができる。
【図面の簡単な説明】
【図１】本発明の照明装置の一例を備える机の前方斜視図である。
【図２】図１に示す照明装置と支柱の上端部を示す拡大後方斜視図である。
【図３】図２におけるＩＩＩ−ＩＩＩ線拡大縦断面図である。
【図４】異なる例を示す図３と同様の図である。
【符号の説明】
（１）上棚
（２）机
（３）天板
（４）支柱
（５）照明器具
（６）支持部
（７）左右軸
（８）シールド
（９）反射板
（１０）蛍光灯
（１１）切欠孔
（１２）（１３）透過孔
（１４）光拡散用カバー
（１５）シャッター
【図１】
2004095344.tif 000003
【図２】
2004095344.tif 000004
【図３】
2004095344.tif 000005
【図４】
2004095344.tif 000006